(57)【特許請求の範囲】
【請求項１】
長尺状の台紙に複数のラベルが仮着されたラベル連続体をロール状としたロール状ラベル連続体と、このロール状ラベル連続体から移送路に向けてラベル連続体を移送するための移送手段と、を備え、
前記移送路に繰り出した前記ラベル連続体のラベルが仮着された面とは反対の面に移行した前記ラベルを除去する除去ブラシを配置するとともに、この除去ブラシを着脱自在としたことを特徴とするラベルの除去装置。
【請求項２】
前記除去ブラシの表面に仮着したラベルを取除く除去板を前記除去ブラシに当接するようにしたことを特徴とする請求項１記載のラベルの除去装置。
【発明の詳細な説明】
【０００１】
【発明の属する技術分野】
本発明は、台紙に複数のラベルが順次仮着された面とは反対の面に移行したラベルを除去するラベルの除去装置に関する。
【０００２】
【従来の技術】
図４は、従来のラベル貼付装置４０であり、本体フレーム２に供給部４、ラベル検出部６、印字部８，貼付部１０、台紙巻取部１２を設けてある。
供給部４は、供給軸５を有し、後述するラベル連続体２６を巻回したロール状のラベル連続体２７を回転可能に装填するものである。ラベル検出部６は、透過型のラベル検出センサーが配置され、移送されるラベル連続体２６の台紙２２部分と、ラベルＬと台紙２２部分との透過量を検出して、貼付部１０に有した剥離板１４の先端にラベルＬの先端を停止させるようにしてある。また、ラベル検出センサーは、反射型のセンサーであってもよい。
【０００３】
印字部８は、印字ヘッド１５とプラテンローラ１６とを有しラベルＬに所望の印字をするものである。
貼付部１０は、剥離板１４と貼付ローラ２０とを有し、剥離板１４は、その先端部を鋭角に形成されるとともに移送されるラベル連続体２６を剥離板１４の先端部で台紙２２を転向させて台紙２２からラベルＬを剥離させるものである。剥離されたラベルＬは前方に繰り出されラベルＬの上面を貼付ローラ２０によって押下されて被着体Ｐに貼付される。また、転向した台紙２２は移送されて台紙巻取部１２の巻取軸１３で巻取られる。
巻取軸１３には、図示しない移動手段である駆動源が配置されるとともに、この駆動源の駆動により巻取軸１３を回転可能にして、ラベル連続体２６の巻取りを可能にしている。
【０００４】
また、図５はロール状ラベル連続体の側面図であり、長尺状の台紙２２の何れか一方の面にシリコーン樹脂などの剥離剤２３が塗布され、この面に感圧性粘着剤２４を有し、所定形状に型抜きされたラベルＬが所定間隔で複数仮着されている。このように、長尺状の台紙２２にラベルＬが所定間隔で複数仮着されたラベル連続体２６をロール状にしたのがロール状ラベル連続体２７である。
【０００５】
一方、被着体Ｐを搬送する搬送装置２１は、ラベル貼付装置４０の下方に配置され搬送されてくる被着体Ｐに（図４中矢印方向）所定のタイミングでラベルＬが剥離され被着体Ｐの所望の位置にラベルＬを貼付するものである。
上述したラベル貼付装置４０は、供給軸５に装填されたロール状ラベル連続体２７からラベル連続体２６が移送路に向けて繰り出され移送路に配置した案内ローラ１８，１９、ラベル検出部６、印字部８、貼付部１０へと移送される。
被着体Ｐが搬送されくると、所定のタイミングで印字ヘッド１５により印字されるとともに、貼付部１０でラベルＬが剥離されて、貼付ローラ２０の押下により被着体Ｐの所望の位置にラベルＬが貼付される。
【０００６】
しかしながら、ラベル製造工程においてラベル連続体２６を製造する際に、ラベルＬを型抜きするものであるが、この時にラベルＬのエッジ部分に感圧性粘着剤２４がはみ出すことがある。とくに、感圧性粘着剤２４を厚く塗布した場合または粘着力を強くするために強粘着剤を塗布する場合にラベルＬのエッジ部分に感圧性粘着剤２４がはみ出すものである。
【０００７】
このように、ラベルＬのエッジ部分からはみ出した感圧性粘着剤２４は、ラベル連続体２６をロール状にした時に、巻圧によりラベルＬが押圧されて、さらに感圧性粘着剤２４がはみ出し感圧性粘着剤２４が上面を覆っている台紙２２の裏面側に感圧性粘着剤２４が貼着するものである。そして、ロール状のラベル連続体２７からラベル連続体２６を引き出した時に、はみ出した感圧性粘着剤２４が台紙２２の裏面に貼着することがあるので、ラベルＬが剥がれて台紙２２の裏面にラベルＬが移行して、台紙２２の裏面に移行ラベルＬ１が貼着することがある。（図５参照）
【０００８】
台紙２２の裏面に貼着した移行ラベルＬ１は、移送路に配置したラベル検出部６またはプラテンローラ１６などに貼り付くものである。ラベル検出部６に移行ラベルＬ１が貼り付いた場合には、貼り付いた移行ラベルＬ１によってセンサー部を隠すので、ラベル連続体２６の移送動作がしなくなるという問題が発生する。また、貼り付いた移行ラベルＬ１は除去しようとしても、粘着剤２４の除去に時間が費やされ作業能率の低下をまねいていた。
【０００９】
また、プラテンローラ１６に移行ラベルＬ１が貼り付いた場合には、印字が欠けたりして印字不良が発生するなどの問題が発生する。
【００１０】
【発明が解決しようとする課題】
本発明は、上述のような問題に鑑みなされたもので、ラベル連続体を移送する移送路に配置したラベル検出部またはプラテンローラなどにラベルの付着を防止して、印字不良を防止するとともに、ラベルの貼着作業の効率を向上させたラベルの除去装置を提供する。
【００１１】
【課題を解決するための手段】
本発明は、台紙の裏面側に貼着したラベルを除去することに着目したもので、長尺状の台紙に複数のラベルが仮着されたラベル連続体をロール状としたロール状ラベル連続体と、このロール状ラベル連続体から移送路に向けてラベル連続体を移送するための移送手段と、を備え、前記移送路に繰り出した前記ラベル連続体のラベルが仮着された面とは反対の面に移行した前記ラベルを除去する除去ブラシを配置するとともに、この除去ブラシを着脱自在としたことを特徴とするラベルの除去装置である。
【００１２】
上記のラベルの除去装置において、除去ブラシの表面に仮着したラベルを取除く除去板を当接するようにしたことを特徴とする。
【００１３】
従って、台紙の裏面側に貼着されているラベルを台紙から除去ブラシに移行させて除去することができるので、印字不良を防止し、かつラベル貼付の作業が中断することがないので作業効率が向上する。また、除去ブラシを着脱自在にしたので、貼り付いたラベルを容易にラベルを取除いて清掃することができる。
【００１４】
【発明の実施の形態】
以下、本発明の実施の形態について、図１乃至図２を参照して説明する。
なお、図４に示すラベル貼付装置４０の主要構成部材は、本発明とほぼ共通するため、これらについては同一符号を伏して説明を省略する。
本実施形態は、ラベル貼付装置１において、ラベルの除去装置を加えたもので、このラベルの除去装置を図１乃至図２に符号２５で示す。
【００１５】
ラベルの除去装置２５は、ラベル連続体２６を移送する移送路に配置した第１の案内ローラ１８とラベル検出部６との間に設けられている。すなわち、ラベル連続体２６の移送方向のラベル検出部６の上流に配置するものである。
ラベルの除去装置２５は、ラベル連続体２６の両面を押圧するように押圧ローラ２９と除去ブラシ２８とを配置されている。押圧ローラ２９は、台紙２２の表面側、すなわち台紙２２の剥離剤２３を塗布されラベルＬが所定の間隔で複数仮着された面側からコイルスプリング（図示省略）で押圧するように設けられいる。
【００１６】
一方、除去ブラシ２８は台紙２２の裏面側、すなわち台紙２２の剥離剤２３を塗布されていない面側に配置され、除去ブラシ２８は硬質性のブラシなどの弾性体で形成されているとともに、ブラシにはシリコーンなどの剥離処理を施してある。また、ラベル連続体２６の移送方向とは反対向きに回転するようにしてある。
除去ブラシ２８の支持軸２８ａの一方端部側は本体フレーム２に回転可能に軸支されるとともに、他方端部側は支持部材３０により軸支されて、除去ブラシ２８を回転可能にしている。図示しないが、本体フレーム２側には、駆動源が配置され、この駆動源の駆動に伴って除去ブラシ２８の支持軸２８ａをラベル連続体２６の移送方向とは反対向きに回転するようにしてある。
【００１７】
支持部材３０は、除去ブラシ２８の支持軸２８ａの軸方向に沿うように固定プレート３１が設けられ、その一方端部は、本体フレーム２に固着される。（図示省略）また、他方端部はＬ字状に形成され孔部３２ａを形成した回動プレート３２が設けられている。
固定プレート３１と回動プレート３２の折り部には、トーションスプリング３３が配置され、回動プレート３２はトーションスプリング３３により、本体フレーム２側に付勢されるように回動可能にしている。また回動プレート３２の孔部は３２ａ、除去ローラ２８の支持軸２８ａを嵌合して除去ブラシ２８を回転可能に支持しいる。
【００１８】
除去ブラシ２８には、ブラシの表面に当接する除去板３９ａが本体フレーム２に設けられ、除去ブラシ２８に付着した移行ラベルＬ１を取り除いて、除去ブラシ２８の下方に設けた収集ボックス３９に落下するようにしてある。収集ボックス３９に落下した移行ラベルＬ１は、取り除けるようにして設けられている。
【００１９】
このように構成された本実施の形態に係わるラベル貼付装置１は、供給軸５に装填されるロール状のラベル連続体２７からラベル連続体２６が移送路に向けて繰り出される。移送路には、案内ローラ１８，ラベル除去装置２５、ラベル検出部６、印字部８、貼付部１０とが配置され、ラベル連続体２６は順次移送される。
【００２０】
そして、移行ラベルＬ１が台紙２２の裏面側に貼着されて移送されてきた場合には、ラベルの除去装置２５の除去ブラシ２８に移行ラベルＬ１が移行して貼着されるので、ラベルの除去装置２５を配置したラベル連続体２６の移送方向の下流側に台紙２２の裏面に移行ラベルＬ１が貼り付いたまま移送されないので、ラベル検出部６のセンサーに移行ラベルＬ１が付着したり、プラテンローラ１６に付着したりすることがない。
【００２１】
よって、ラベルＬの印字及び被着体ＰへのラベルＬの貼付作業が中断することがないので作業効率が向上する。
除去ブラシ２８に付着または載置した移行ラベルＬ１は、除去ブラシ２８の回転により落下して収集ボックス３９に集められる。また、除去ブラシ２８に付着して落下しなかった移行ラベルＬ１は、除去板３９ａにより除去されるので除去ブラシ２８に移行ラベルＬ１が付着したまま回転することがない。
【００２２】
また、回動プレート３２を手前に引くことにより容易に除去ブラシ２８を着脱自在とすることができるので、除去ブラシ２８に貼り付いた移行ラベルＬ１を容易に取り除くことができるとともに、除去ブラシ２８の清掃も容易にすることができる。
除去ブラシ２８を組み付けるときは、トーションスプリング３３の付勢に抗して回動プレート３２を手前に引き、除去ブラシ２８の支持軸２８ａを本体フレーム２に嵌合して、回動フレーム３２の孔部３２ａに支持軸２８ａを嵌合させることにより、除去ブラシ２８は支持部材３０に回転可能に支持される。
なお、ラベル連続体２６の移送は、ラベルの除去装置２５の部分を通過する際にスムーズに移送するように設けられている。
【００２３】
次に、他の実施の形態を図３に基づいて説明する。
図３に示したラベルの除去装置３８は、除去ブラシ２８は前述した構造と同一のものであり、押圧ローラ２９に変えて押圧プレート３４が配置されている。押圧プレート３４は、ラベル連続体２６の移送方向と逆方向に付勢するようにコイルスプリング３６が設けられている。また、支点軸３５を基点に回動するように設けられている。
【００２４】
このように構成したラベルの除去装置３８においても、前述と同様に台紙２２側に移行ラベルＬ１が貼り付いた場合でも、ラベル検出部６のセンサーに移行ラベルＬ１が付着したり、プラテンローラ１６に付着したりすることがなく、ラベルＬの印字及び被着体へのラベルＬの貼付作業が中断することがないので、作業効率が向上する。
【００２５】
なお、本発明はラベル貼付装置を例にして説明したが、ラベルプリンタ或いはラベルの剥離装置など台紙にラベルが仮着されたラベル連続体を使用する機器に全て適用される。
また、除去ブラシはラベル連続体と同一方向に回転可能にするようにしてもよい。
【００２６】
【発明の効果】
以上詳細に説明したように本発明は、台紙の裏面側に移行した移行ラベルを、移送路に配置した除去ブラシによって、移行ラベルを台紙から除去ブラシに移行させて、台紙から除去することができるので、印字または貼付の作業が中断することがなく作業効率が向上する。
また、除去ブラシを着脱自在にしたので、ブラシに付着する粘着剤を容易に清掃することができる効果を奏するものである。
【図面の簡単な説明】
【図１】本発明のラベル除去装置を備えたラベル貼付装置の概略説明図である。
【図２】本発明の除去ローラの説明図である。
【図３】他の実施の形態を説明したラベルの除去装置の説明図である。
【図４】従来のラベル貼付装置の概略説明図である。
【図５】ロール状のラベル連続体の側面図である。
【符号の説明】
１    …    ラベル貼付装置
３    …    移送路
４    …    供給部
６    …    ラベル検出部
８    …    印字部
１０    …    貼付部
２２    …    台紙（長尺状）
２４    …    感圧性粘着剤
２５    …    ラベルの除去装置
２６    …    ラベル連続体
２７    …    ロール状ラベル連続体
２８    …    除去ブラシ
２９    …    押圧ローラ
３０    …    支持部材
３１    …    固定プレート
３２    …    回動プレート
３８    …    ラベルの除去装置（他の例）
３９    …    収集ボックス
３９ａ  …    除去板
Ｌ    …    ラベル
Ｌ１  …    移行ラベル
Ｐ    …    被着体
【図１】
0004152527.tif 000002
【図２】
0004152527.tif 000003
【図３】
0004152527.tif 000004
【図４】
0004152527.tif 000005
【図５】
0004152527.tif 000006